(57)【要約】      （修正有）【課題】組み立て分解が容易であり且つ廃棄もし易い折り畳み式陳列棚を提供する。【解決手段】折り畳み式陳列棚１００が、後折曲容易部２１１を有する後板２１０と、左側板２２０と、右側板２３０と、中間板２５０とを有する枠体２００と、左底後折曲容易部および左底前折曲容易部を有し、且つ分割されている左箱底部３５０を有する左棚箱３００と、右底前折曲容易部および右底後折曲容易部を有し、且つ分割されている右箱底部４５０を有する右棚箱４００とを備え、後板２１０を後折曲容易部２１１で谷折りし、谷折りに伴い、左箱底部３５０を左底後折曲容易部および左底前折曲容易部で山折りして分割し、右箱底部４５０を右底前折曲容易部および右底後折曲容易部で山折りして分割することで全体を平板状に折り畳み可能とする。【選択図】図３
0003195952.tif 000002
【実用新案登録請求の範囲】
【請求項１】
上下方向に延在すると共に、左右方向の中間部に上下方向に直線状に延び前方から見て谷折り可能な第１の折曲容易部（２１１）を有する後板（２１０）と、該後板の左右の端から前方にそれぞれ延び上下方向に延在する左右の側板（２２０，２３０）と、前記第１の折曲容易部から前方に延び上下方向に延在する中間板（２５０）とを有する枠体（２００）と、
前記中間板と前記左側板とに挟持される矩形有底の左棚箱であって、前記底（３５０）が、左後方と右前方を結ぶ対角方向に分割されており、且つ右後方と左前方とを結ぶ対角方向に上方から見て山折り可能な第２の折曲容易部（３５３，３５６）を有する左棚箱（３００）と、
前記中間板と前記右側板とに挟持される矩形有底の右棚箱であって、前記底（４５０）が、右後方と左前方を結ぶ対角方向に分割されており、且つ左後方と右前方を結ぶ対角方向に上方から見て山折り可能な第３の折曲容易部（４５３，４５６）を有する右棚箱（４００）とを備え、
前記後板を前記第１の折曲容易部で谷折りし、該谷折りに伴い、前記左右の棚箱の前記底を前記第２および第３の折曲容易部で山折りして前記底を立ち上げるように分割することで全体を平板状に折り畳み可能である折り畳み式陳列棚。
【請求項２】
前記左右の棚箱を複数備え、
各前記左右の棚箱が上下方向に所定間隔を空けて挟持されていることを特徴とする請求項１に記載の折り畳み式陳列棚。
【請求項３】
前記左右の棚箱が同じ高さに挟持されていること特徴とする請求項１または２に記載の折り畳み式陳列棚。
【請求項４】
前記枠体が、前記左右の側板の前端同士を連結する前板（２４０）を有することを特徴とする請求項１〜３のいずれか１項に記載の折り畳み式陳列棚。
【請求項５】
前記枠体および前記左右の棚箱が、段ボールまたは厚紙からなるシート材であることを特徴とする請求項１〜４のいずれか１項に記載の折り畳み式陳列棚。
【請求項６】
前記左右の棚箱内の少なくともいずれか一方に載置される、上下方向の段差を形成する棚段（５００）を備えることを特徴とする請求項１〜５のいずれか１項に記載の折り畳み式陳列棚。
【請求項７】
前記棚段が、段ボールまたは厚紙からなるシート材であることを特徴とする請求項６に記載の折り畳み式陳列棚。
【請求項８】
前記後板が該後板の上端に差込口（２１２）を有し、
該差込口に差し込み可能な差込片（６１０）を有するパネル体（６００）を備えた請求項１〜７のいずれか１項に記載の折り畳み式陳列棚。
【請求項９】
前記パネル体が、段ボールまたは厚紙からなるシート材であることを特徴とする請求項８に記載の折り畳み式陳列棚。
【考案の詳細な説明】
【技術分野】
【０００１】
本考案は折り畳み式の陳列棚に関する。
【背景技術】
【０００２】
従来、店頭や展示会場においては、たとえば新商品等の販促品を展示するため、陳列棚が利用されている。そして、この陳列棚には、機能面において、陳列する商品の荷重に耐えられるだけの剛性が要求されるだけではなく、組み立てや分解等の作業面や保管面での利便性も要求される。
【０００３】
文献１には、紙材からなる背面壁部、一対の側面壁部、棚板および合成樹脂からなる棚板支持部を備え、ファスナにより棚板支持部を一対の側面壁部に固定して棚を形成する技術が提案されている。また、文献２には、支持側板に段ボールシートからなる折り畳み自在な棚支持部材を複数積み重ね、支持側板にピンで固定して棚を形成する技術が提案されている。
【先行技術文献】
【特許文献】
【０００４】
【特許文献１】実用新案登録第３１８５７１６号
【特許文献２】実用新案登録第３１８９３６２号
【考案の概要】
【考案が解決しようとする課題】
【０００５】
しかしながら、文献１および２に提案されている技術では、組み立てる際、ファスナまたはピンで棚板を固定するための工具を用意する可能性がある。また、ファスナまたはピンにより固定された棚板は必ずしも分解が容易であるとは言えない。さらに、陳列棚が不要になった場合、ファスナやピン等の固定部品は必ずしも廃棄が容易であるとは言えない。
【０００６】
本考案は、上記事情に鑑み、組み立て分解が容易であり且つ廃棄もし易い折り畳み式陳列棚を提供することを目的とする。
【課題を解決するための手段】
【０００７】
上記課題を解決するために、本考案の折り畳み式陳列棚は、上下方向に延在すると共に、左右方向の中間部に上下方向に直線状に延び前方から見て谷折り可能な第１の折曲容易部を有する後板と、後板の左右の端から前方にそれぞれ延び上下方向に延在する左右の側板と、第１の折曲容易部から前方に延び上下方向に延在する中間板とを有する枠体と、中間板と左側板とに挟持される矩形有底の左棚箱であって、底が、左後方と右前方を結ぶ対角方向に分割されており、且つ右後方と左前方とを結ぶ対角方向に上方から見て山折り可能な第２の折曲容易部を有する左棚箱と、中間板と右側板とに挟持される矩形有底の右棚箱であって、底が、右後方と左前方を結ぶ対角方向に分割されており、且つ左後方と右前方を結ぶ対角方向に上方から見て山折り可能な第３の折曲容易部を有する右棚箱とを備え、後板を第１の折曲容易部で谷折りし、谷折りに伴い、左右の棚箱を第２および第３の折曲容易部で山折りして底を立ち上げるように分割することで全体を平板状に折り畳み可能であることを特徴とする。
【０００８】
ここで、本考案の折り畳み式陳列棚において、「折曲容易部」とは、使用者が折り曲げし易い部分を意味し、たとえば、折曲線が形成されており、使用者がその折曲線に沿って容易に折り曲げできる部分を意味する。また、上記「挟持される」とは、挟まれた状態で固定支持されている状態を意味する。
【０００９】
また、本考案の折り畳み式陳列棚は、左右の棚箱を複数備え、各左右の棚箱が上下方向に所定間隔を空けて挟持されていてもよい。また、本考案の折り畳み式陳列棚において、左右の棚箱は同じ高さに挟持されていてもよい。
【００１０】
また、本考案の折り畳み式陳列棚において、枠体は、左右の側板の前端同士を連結する前板を有してもよい。また、枠体および左右の棚箱は段ボールまたは厚紙からなるシート材であることが望ましい。
【００１１】
また、本考案の折り畳み式陳列棚は、左右の棚箱内の少なくともいずれか一方に載置される、上下方向の段差を形成する棚段を備えてもよい。また、棚段は段ボールまたは厚紙からなるシート材であることが望ましい。
【００１２】
また、本考案の折り畳み式陳列棚は、後板が後板の上端に差込口を有し、差込口に差し込み可能な差込片を有するパネル体を備えてもよい。また、パネル体は段ボールまたは厚紙からなるシート材であることが望ましい。
【考案の効果】
【００１３】
本考案の折り畳み式陳列棚によれば、後板を第１の折曲容易部で谷折りし、この谷折りに伴い、左右の棚箱を第２および第３の折曲容易部で山折りして底を立ち上がるように分割することで全体を平板状に折り畳み可能であるため、工具を必要とせず、容易に組み立ておよび分解ができ、ファスナやピン等の固定部品も必要としないため、不要になった場合の廃棄も容易である。
【図面の簡単な説明】
【００１４】
【図１】折り畳み式陳列棚の全体を示す斜視図
【図２】パネル体を着脱する態様を示す斜視図
【図３】棚段を着脱する態様を示す斜視図
【図４】パネル体および棚段を取り外した折り畳み式陳列棚の斜視図
【図５】左棚箱および右棚箱を斜め上方から見た斜視図
【図６】折り畳み中の折り畳み式陳列棚を示す斜視図
【図７】折り畳み中の左棚箱および右棚箱を示す斜視図
【図８】折り畳み後の折り畳み式陳列棚を示す斜視図
【図９】折り畳み式陳列棚の折り畳みおよび組み立ての態様を示す斜視図
【考案を実施するための形態】
【００１５】
本考案に係る折り畳み式陳列棚の一実施形態について図面を参照して詳細に説明する。また、以下の説明においては、図中のＸ軸方向を左右方向、Ｙ軸方向を前後方向、Ｚ軸方向を上下方向として説明する。また、Ｘ軸方向の長さを幅、Ｙ軸方向の長さを奥行、Ｚ軸方向の長さを高さとして説明する。
【００１６】
図１は本考案の一実施形態である折り畳み式陳列棚１００の全体を示す斜視図である。折り畳み式陳列棚１００は、枠体２００と、枠体２００に挟持された左棚箱３００と、枠体２００に挟持された右棚箱４００と、左棚箱３００および右棚箱４００にそれぞれ載置された棚段５００と、枠体２００の上方に着脱自在に装着されたパネル体６００とから構成されている。
【００１７】
枠体２００、左棚箱３００、右棚箱４００、棚段５００およびパネル体６００は、いずれも段ボールや厚紙等のシート材から形成されている。なお、枠体２００、左棚箱３００、右棚箱４００、棚段５００およびパネル体６００の材質は、廃棄が容易なシート材であれば特に限定されるものではない。
【００１８】
最初に枠体２００について説明する。枠体２００は、図１に示すように、後板２１０と、後板２１０の左端から前方に延びる左側板２２０と、後板２１０の右端から前方に延びる右側板２３０と、左側板２２０および右側板２３０の前端同士を連結する前板２４０と、後板２１０の左右方向の中間部より前方に延びる中間板２５０とから構成されている。
【００１９】
また、後板２１０は、左側板２２０および右側板２３０とそれぞれ角度可変に連結されている。前板２４０は、左側板２２０の前端から前方に延びる前板左部２４２と、右側板２３０の前端から前方に延びる前板右部２４３と、前板左部２４２および前板右部２４３の前端同士を連結する前板中央部２４４とから構成されている。前板中央部２４４は、前板左部２４２および前板右部２４３とそれぞれ角度可変に連結されている。
【００２０】
また、後板２１０、左側板２２０、右側板２３０、前板２４０および中間板２５０は、それぞれ上下方向に延在している。後板２１０の左右方向の中間部には、上下方向に直線状に延びる後折曲容易部（第１の折曲容易部）２１１が形成されている。後折曲容易部２１１は、後板２１０上に図中の一点鎖線で示すような、上下方向に延びる２本の折曲線を有しており、使用者が折曲線に沿って後板２１０を前方から見て谷折りし易くしている。なお、折曲線は、特に限定されるものではないが、たとえば後板２１０に予め付された折目やミシン目等である。
【００２１】
また、前板中央部２４４の左右方向の中間部にも、上下方向に直線状に延びる前折曲容易部２４１が形成されている。前折曲容易部２４１は、前板２４０上に図中の一点鎖線で示すような、上下方向に延びる２本の折曲線を有し、使用者が折曲線に沿って前板中央部２４４を前方から見て谷折りし易くしている。なお、折曲線は、特に限定されるものではないが、たとえば前板中央部２４４に予め付された折目やミシン目等である。
【００２２】
また、中間板２５０の後端は後折曲容易部２１１の２本の折曲線の間で後板２１０と連結している。また、中間板２５０の前端と前折曲容易部２４１との左右方向の位置は略一致している。
【００２３】
パネル体６００について説明する。図２はパネル体６００を着脱する態様を示す斜視図である。後板２１０は上端に２つの差込口２１２を有している。パネル体６００は、後板２１０と略同一の幅を有する矩形状であり、下端に２つの差込片６１０を有している。
【００２４】
差込口２１２のピッチと差込片６１０のピッチは等しくなっている。そして、パネル体６００は、図２に示すように、パネル体６００の下端が後板２１０の上端に当接するまで差込片６１０を差込口２１２に差し込むことで、後板２１０の上端に取り付けられる。
【００２５】
また、パネル体６００は、差込口２１２から差込片６１０を引き抜くことで、後板２１０から取り外すことができる。このように、パネル体６００は、着脱自在であり、陳列される商品等の広告および宣伝が容易に行える。
【００２６】
次に棚段５００について説明する。図３は棚段５００を着脱する態様を示す斜視図である。なお、図３においてはパネル体６００の図示を省略している。棚段５００は、図３に示すように、左棚箱３００および右棚箱４００の中に着脱自在に載置されている。
【００２７】
棚段５００は、段底板５１０と、段底板５１０の後端から上下方向に延びる段後板５２０と、段底板５１０の前後方向の中間部から上下方向に延びる段中板５３０と、段後板５２０および段中板５３０の上端同士を連結する段天板５４０から形成されている。
【００２８】
段底板５１０、段後板５２０、段中板５３０および段天板５４０はそれぞれ矩形状である。また、段後板５２０と段中板５３０とは略同じ高さを有しており、その高さは適宜調整可能である。また、段中板５３０の段底板５１０上の位置も宜調整可能である。
【００２９】
また、段底板５１０は、左棚箱３００および右棚箱４００に略隙間なく収容されるような、幅および奥行を有している。このように、棚段５００は、左棚箱３００および右棚箱４００内で段差を形成し、陳列された商品をより見易くさせる。なお、棚段５００は、段差を形成したい左棚箱３００および右棚箱４００に載置されればよく、必ずしも全ての左棚箱３００および右棚箱４００に載置される必要はない。
【００３０】
次に左棚箱３００および右棚箱４００について説明する。図４は棚段５００およびパネル体６００を取り外した状態の折り畳み式陳列棚１００を示す斜視図である。左棚箱３００および右棚箱４００は矩形状で有底の箱である。
【００３１】
左棚箱３００は、後板２１０に固定された左箱後板３１０と、左箱後板３１０の左端から前方に延び左側板２２０に固定された左箱左板３２０と、左箱後板３１０の右端から前方に延び中間板２５０に固定された左箱右板３３０と、左箱左板３２０および左箱右板３３０の前端同士を連結する左箱前板３４０と、左箱底部３５０とから構成されている。
【００３２】
左箱後板３１０は、左箱左板３２０および左箱右板３３０と角度可変となるようにそれぞれ連結しており、左箱前板３４０も、左箱左板３２０および左箱右板３３０と角度可変となるようにそれぞれ連結している。
【００３３】
右棚箱４００は、後板２１０に固定された右箱後板４１０と、右箱後板４１０の左端から前方に延び中間板２５０に固定された右箱左板４２０と、右箱後板４１０の右端から前方に延び右側板２３０に固定された右箱右板４３０と、右箱左板４２０および右箱右板４３０の前端同士を連結する右箱前板４４０と、右箱底部４５０とから構成されている。
【００３４】
右箱後板４１０は、右箱左板４２０および右箱右板４３０と角度可変となるように連結されており、右箱前板４４０も右箱左板４２０および右箱右板４３０と角度可変となるように連結されている。
【００３５】
枠体２００は、左棚箱３００および右棚箱４００を上下方向に所定間隔を空けて複数挟持している。これにより、多くの商品を陳列し易く且つ取り出し易くしている。本実施形態において、枠体２００は、左棚箱３００および右棚箱４００を、略等間隔を空けて３個ずつ挟持しているが、左棚箱３００および右棚箱４００の数やその間隔寸法は特に限定されるものではない。
【００３６】
また、枠体２００は、左棚箱３００および右棚箱４００を上下方向において同じ高さに挟持している。また、枠体２００は、左棚箱３００および右棚箱４００を互いに異なる高さに挟持することも可能である。
【００３７】
左箱底部３５０および右箱底部４５０について説明する。図５は左棚箱３００および右棚箱４００を斜め上方から見た斜視図である。
【００３８】
左箱底部３５０は、左箱右板３３０の下端から左方に延びる左底右板３５１と、左箱後板３１０の下端から前方に延びる左底後板３５２と、左箱左板３２０の下端から右方に延びる左底左板３５４と、左箱前板３４０の下端から後方に延びる左底前板３５５とから構成されている。
【００３９】
左箱右板３３０と左底右板３５１とは角度可変となるように連結しており、左箱後板３１０と左底後板３５２とも角度可変となるように連結している。また、左箱左板３２０と左底左板３５４とは角度可変となるように連結しており、左箱前板３４０と左底前板３５５とも角度可変となるように連結している。
【００４０】
左箱底部３５０は、左底右板３５１、左底後板３５２、左底左板３５４および左底前板３５５が重なり合うことで形成されている。そして、左底右板３５１と左底後板３５２とは、重なり合った一部で連結している。また、左底左板３５４と左底前板３５５とも、重なり合った一部で連結している。また、左底右板３５１および左底後板３５２は、左底左板３５４または左底前板３５５のいずれにも連結していない。
【００４１】
左底右板３５１と左底後板３５２との重なり部には、上方から見て右斜め方向に直線状に延びる左底後折曲容易部（第２の折曲容易部）３５３が形成されている。また、左底左板３５４と左底前板３５５との重なり部にも、上方から見て右斜め方向に直線状に延びる左底前折曲容易部（第２の折曲容易部）３５６が形成されている。
【００４２】
左底後折曲容易部３５３は左底右板３５１と左底後板３５２との重なり部に、左底前折曲容易部３５６は左底右板３５１と左底後板３５２との重なり部に、図中の一点鎖線で示す右斜め対角線方向に延びる折曲線をそれぞれ有している。なお、折曲線は、特に限定されるものではないが、たとえば各重なり部に予め付された折目やミシン目等である。
【００４３】
そして、左底後折曲容易部３５３は、左底右板３５１と左底後板３５２との重なり部を折曲線に沿って上方から見て山折りし易くし、左底前折曲容易部３５６は、左底左板３５４と左底前板３５５との重なり部を折曲線に沿って上方から見て山折りし易くしている。
【００４４】
左底後折曲容易部３５３で山折りすると、左底右板３５１と左底後板３５２とが立ち上がり、左底前折曲容易部３５６で山折りすると、左底左板３５４と左底前板３５５とが立ち上がり、左箱底部３５０が上方から見て左斜め対角線方向に分割する。
【００４５】
右箱底部４５０は、右箱右板４３０の下端から左方に延びる右底右板４５１と、右箱前板４４０の下端から後方に延びる右底前板４５２と、右箱後板４１０の下端から前方に延びる右底後板４５４と、右箱左板４２０の下端から右方に延びる右底左板４５５とから構成されている。
【００４６】
右箱右板４３０と右底右板４５１とは角度可変となるように連結しており、右箱前板４４０と右底前板４５２とも角度可変となるように連結している。また、右箱後板４１０と右底後板４５４とも角度可変となるように連結しており、右箱右板４３０と右底左板４５５とも角度可変となるように連結している。
【００４７】
右箱底部４５０は、右底右板４５１、右底前板４５２、右底後板４５４および右底左板４５５が重なり合うことで形成されている。そして、右底右板４５１と右底前板４５２とは、重なり合った一部で連結している。そして、右底後板４５４と右底左板４５５も、重なり合った一部で連結している。そして、右底右板４５１および右底前板４５２は、右底後板４５４または右底左板４５５のいずれにも連結していない。
【００４８】
右底右板４５１と右底前板４５２との重なり部には、上方から見て左斜め方向に直線状に延びる右底前折曲容易部４５３（第３の折曲容易部）が形成されている。また、右底後板４５４と右底左板４５５との重なり部にも、上方から見て左斜め方向に直線状に延びる右底後折曲容易部４５６（第３の折曲容易部）が形成されている。
【００４９】
右底前折曲容易部４５３は右底右板４５１と右底前板４５２との重なり部に、右底後折曲容易部４５６は右底後板４５４と右底左板４５５との重なり部に、図中の一点鎖線で示す左斜め対角線方向に延びる折曲線をそれぞれ有している。なお、折曲線は、特に限定されるものではないが、たとえば各重なり部に予め付された折目やミシン目等である。
【００５０】
右底前折曲容易部４５３は、右底右板４５１と右底前板４５２との重なり部を折曲線に沿って上方から見て山折りし易くし、右底後折曲容易部４５６は、右底後板４５４と右底左板４５５との間を折曲線に沿って上方から見て山折りし易くしている。
【００５１】
右底前折曲容易部４５３で山折りすると、右底右板４５１と右底前板４５２とが立ち上がり、右底後折曲容易部４５６で山折りすると、右底後板４５４と右底左板４５５とが立ち上がり、右箱底部４５０が上方から見て左斜め対角線方向に分割する。
【００５２】
図６は折り畳み式陳列棚１の折り畳み中の態様示す斜視図、図７は左棚箱３００および右棚箱４００の折り畳み中の態様を示す斜視図をそれぞれ示す。後折曲容易部２１１より後板２１０を前方から見て谷折りすると、前板２４０も前折曲容易部２４１により前方から見て谷折りされる。
【００５３】
後板２１０および前板２４０の谷折りに伴い、左側板２２０と後板２１０との角度が広がり、中間板２５０と後板２１０との角度が狭まり、右側板２３０と後板２１０との角度が広がる。
【００５４】
そして、後板２１０に押圧されて左箱後板３１０と左箱右板３３０との角度が狭まり、左側板２２０に押圧されて左箱左板３２０と左箱前板３４０との角度が狭まる。そして、後板２１０に押圧されて右箱後板４１０と右箱左板４２０との角度が狭まり、右側板２３０に押圧されて右箱右板４３０と右箱前板４４０との角度が狭まる。
【００５５】
また、左箱後板３１０に押圧されて、左底後折曲容易部３５３により左底右板３５１と左底後板３５２と山折りされる。また、左箱左板３２０に押圧されて、左底前折曲容易部３５６により左底左板３５４と左底前板３５５とが山折りされる。
【００５６】
また、右箱右板４３０に押圧されて、右底前折曲容易部４５３により右底右板４５１と右底前板４５２とが山折りされる。また、右箱後板４１０に押圧されて、右底後折曲容易部４５６により右底後板４５４と右底左板４５５とが山折りされる。
【００５７】
左底後折曲容易部３５３および左底前折曲容易部３５６での山折りにより、左底右板３５１、左底後板３５２、左底左板３５４、左底前板３５５がそれぞれ立ち上がり、左箱底部３５０が分割する。右底前折曲容易部４５３および右底後折曲容易部４５６での山折りにより、右底右板４５１、右底前板４５２、右底後板４５４および右底左板４５５がそれぞれ立ち上がり、右箱側部４５０が分割する。
【００５８】
図８は折り畳み後の折り畳み式陳列棚１００を示す斜視図である。折り畳み式陳列棚１００は、左箱前板３４０と右箱前板４４０とが面する程に後板２１０および前板２４０をさらに谷折りすると、図８に示すように、全体が略平板となるように折り畳まれる。
【００５９】
図９は折り畳み式陳列棚１００の折り畳みから組み立てまでの各状態を示す図である。完成状態にある折り畳み式陳列棚１００（図中Ｓ６参照）からパネル体６００を取り外す（図中Ｓ５参照）。そして、棚段５００を左棚箱３００および右棚箱４００から取り外す（図中Ｓ４およびＳ３参照）。
【００６０】
後折曲容易部２１１で後板２１０を谷折し、前折曲容易部２４１で前板２４０を谷折りすると、左底後折曲容易部３５３により左底右板３５１と左底後板３５２とが山折りされて立ち上がる。左底前折曲容易部３５６により左底左板３５４と左底前板３５５とが山折りされて立ち上がる。これにより、左箱底部３５０が分割する（図中Ｓ２参照）。
【００６１】
さらに、右底前折曲容易部４５３により右底右板４５１と右底前板４５２とが山折りされて立ち上がる。右底後折曲容易部４５６により右底後板４５４と右底左板４５５とが山折りされて立ち上がる。これにより、右箱底部４５０が分割する（図中Ｓ２参照）。
【００６２】
左箱前板３４０と右箱前板４４０とが面する程度に後板２１０および前板２４０をさらに谷折りする。折り畳み式陳列棚１００が略平板となるように折り畳まれる（図中Ｓ１参照）なお、棚段５００の取り外しを先に行い、パネル体６００の取り外しを後に行ってもよい。
【００６３】
折り畳み式陳列棚１００は、上記手順を逆に行うことにより、組み立てが可能であり、その詳細な説明は省略する。なお、組み立てにおいても、パネル体６００の取り付けを先に行い、棚段５００の取り付けを後に行ってもよい。
【００６４】
以上に説明した通り、本実施形態の折り畳み式陳列棚１００によれば、パネル体５００を取り外し、棚段５００を取り外し、後板２１０を後折曲容易部２１１で、前板２４０を前折曲容易部２４１でそれぞれ谷折りすることで、左底後折曲容易部３５３および左底前折曲容易部３５６により左箱底部３５０が山折りされて立ち上がるように分割し、右底前折曲容易部４５３および右底後折曲容易部４５６により右箱底部４５０が山折りされて立ち上がるように分割し、折り畳み式陳列棚１００の全体を略平板状に折り畳むことができるため、組み立ておよび分解が容易であり、固定部材が不要なため廃棄も容易である。
【００６５】
また、本実施形態の折り畳み式陳列棚１００によれば、枠体２００、左棚箱３００、右棚箱４００、棚段５００およびパネル体６００がシート材であるため、不要になった場合の廃棄もさらに容易である。
【符号の説明】
【００６６】
１００  折り畳み式陳列棚
２００  枠体
２１０  後板
２１１  後折曲容易部（第１の折曲容易部）
２１２  差込口
２２０  左側板
２３０  右側板
２４０  前板
２５０  中間板
３００  左棚箱
３５０  左箱底部
３５３  左底後折曲容易部（第２の折曲容易部）
３５６  左底前折曲容易部（第２の折曲容易部）
４００  右棚箱
４５０  右箱底部
４５３  右底前折曲容易部（第３の折曲容易部）
４５６  右底後折曲容易部（第３の折曲容易部）
５００  棚段
６００  パネル体
６１０  差込片
【図１】
0003195952.tif 000003
【図２】
0003195952.tif 000004
【図３】
0003195952.tif 000005
【図４】
0003195952.tif 000006
【図５】
0003195952.tif 000007
【図６】
0003195952.tif 000008
【図７】
0003195952.tif 000009
【図８】
0003195952.tif 000010
【図９】
0003195952.tif 000011